(57)【要約】【課題】  コネクタの低背化、コンタクト保持力強化、ハーネス作業性が良好なコンタクト形状と、インシュレータのコンタクト保持構造を提供すること。【解決手段】  コネクタにおいて、コンタクトは、相手側コンタクトと接続する接触部と、ケーブルと接続する結線部と、前記結線部を前記相手側コンタクトとの接続方向と交差する方向に配設する曲げ部とを有する。インシュレータは、コンタクト収容部が設けられた第１のインシュレータ３１と、前記第１のインシュレータに回転自在に保持される第２のインシュレータ２１とからなる。コンタクトは被係止部を有し、前記第２インシュレータを回転して第１インシュレータ３１に固定することにより、前記第１インシュレータ３１と前記第２インシュレータ２１とで、前記コンタクト１０の被係止部を挟持してコンタクト１０を前記インシュレータに保持し、かつ前記ケーブル５０を挟持するようにした。【選択図】      図１
2005317319.tif 000002
【特許請求の範囲】
【請求項１】
一端に接触部、他端に結線部を備えたコネクタのコンタクトにおいて、前記接触部の中心線と、前記結線部に保持されるケーブルの中心軸方向とが互いに交差していることを特徴とするコンタクト。
【請求項２】
相手側コンタクトと電気接続するためのコンタクトと、前記コンタクトを保持するインシュレータとを備えたコネクタにおいて、前記コンタクトは、前記相手側コンタクトと接続する接触部と、ケーブルと接続する結線部と、前記結線部を前記相手側コンタクトとの接続方向と交差する方向に配設する曲げ部とを有し、
前記インシュレータは、コンタクト収容部が設けられた第１インシュレータと、前記第１インシュレータに回転自在に保持される第２インシュレータとからなり、
前記コンタクトは被係止部を有し、前記第２インシュレータを回転して第１インシュレータに固定することにより、前記第１インシュレータと前記第２インシュレータとで、前記コンタクトの被係止部を挟持してコンタクトを前記インシュレータに保持し、かつ前記ケーブルを挟持するようにしたことを特徴とするコネクタ。
【発明の詳細な説明】
【技術分野】
【０００１】
本発明は、コネクタに関し、特に、ケーブルに結線されたコンタクトを保持するコネクタとその低背化に関する。
【背景技術】
【０００２】
従来この種のコネクタとして、図９及び図１０に示される構造を備えたものが提案されている（特許文献１、参照）。図９は従来のコネクタの一例の斜視図、図１０は図９のコネクタの断面図である。図９及び図１０を参照すると、従来技術によるコネクタ１０２は、ケーブル５０を保持するハウジング本体７３のケーブル支持部材７５と、ハウジング本体７３にヒンジ７７によって回転可能に設けられたケーブル押さえ部材７４とでケーブルを挟みもつ構成である。そして、ハウジング本体７３の先端部７３ａからケーブル押え部材７４のケーブル５０と接する下面端部７４ａまでの長さｍをハウジング本体７３の先端部７３ａからケーブル支持部材７５のケーブル５０と接する上面端部７５ａまでの長さｎよりも短くして、下面端部７４ａと上面端部７５ａが同一鉛直線上に位置しない構成としている。
【０００３】
図１１は従来のコネクタのコンタクトの一例を示す図である。図１１を参照すると、コンタクト６０は、結線部６２と、一端に設けられた接触部６１と、ハウジングに保持するため、本体から突出した係止部６５と、ケーブル５０を保持するための把持部６３を備えている。ケーブル５０の導体部は結線部６２内に圧着によって接続されている。
【０００４】
このような従来のコンタクトにおいて、コンタクト６０の把持部６３は、接触部６１と同一方向にある。
【０００５】
コンタクトの保持方法は、ランス、圧入、２枚のインシュレータで挟むといった係止方法がある。
【０００６】
しかし、コンタクト６０の結線部６２が、接触部６１と同一直線上にあり、アングルタイプのコネクタの場合、ケーブルを折り曲げても、背Ｈ´が高くなるという欠点を備えている。
【０００７】
また、ケーブルとコンタクトの嵌め合う方向が交差するアングルコネクタの場合、ケーブル５０を接触部６１に対して垂直方向に出す必要があり、ケーブル自体を曲げて作業するので結線部に負荷がかかり、作業もしにくいという不具合がある。
【０００８】
また、コンタクト６０を２枚のインシュレータで挟む時、リティニングリングを使い、インシュレータを外殻に固定し保持するといった部品数が多くなるという欠点がある。
【０００９】
さらに、係止のためのランスによるコンタクト保持方法は、ランスの倒れ具合により、コンタクトが抜けてしまうという問題がある。
【００１０】
【特許文献１】特開平５−１３１２７号公報
【発明の開示】
【発明が解決しようとする課題】
【００１１】
そこで、本発明の技術的課題は、コネクタの低背化、コンタクト保持力強化、ハーネス作業性が良好なコンタクト形状と、インシュレータのコンタクト保持構造を提供することにある。
【課題を解決するための手段】
【００１２】
本発明によれば、一端に接触部、他端に結線部を備えたコネクタのコンタクトにおいて、前記接触部の中心線と、前記結線部に保持されるケーブルの中心軸方向とが互いに交差していることを特徴とするコンタクトが得られる。
【００１３】
また、本発明によれば、相手側コンタクトと電気接続するためのコンタクトと、前記コンタクトを保持するインシュレータとを備えたコネクタにおいて、前記コンタクトは、前記相手側コンタクトと接続する接触部と、ケーブルと接続する結線部と、前記結線部を前記相手側コンタクトとの接続方向と交差する方向に配設する曲げ部とを有し、前記インシュレータは、コンタクト収容部が設けられた第１インシュレータと、前記第１インシュレータに回転自在に保持される第２インシュレータとからなり、前記コンタクトは被係止部を有し、前記第２インシュレータを回転して第１インシュレータに固定することにより、前記第１インシュレータと前記第２インシュレータとで、前記コンタクトの被係止部を挟持してコンタクトを前記インシュレータに保持し、かつ前記ケーブルを挟持するようにしたことを特徴とするコネクタが得られる。
【発明の効果】
【００１４】
本発明によれば、コンタクトの結線部を、接触部に対してアングル方向に配置することによりコネタタの背を低くできるコンタクトとコネクタとを提供することができる。
【００１５】
本発明によれば、結線部が接触部に対してあらかじめアングル方向に配置されているのでケーブルの結線部に負荷がかからないコンタクトとコネクタとを提供することができる。
【００１６】
また、本発明によれば、２枚のインシュレータにロック部を設け、コンタクトを挟み込み固定する。その為、リティニングリングが不要となり工程削減、作業性向上、低コスト、軽量化することができるコンタクトとコネクタとを提供することができる。
【００１７】
さらに、本発明によれば、２枚のインシュレータで挟み込んでロックしてコンタクトを保持する為、保持力が高く、抜けにくいコンタクトとコネクタとを提供することができる。
【発明を実施するための最良の形態】
【００１８】
以下、本発明の実施の形態について、図面を参照しながら説明する。
【００１９】
図１は本発明の実施の形態によるコネクタの断面図である。図２は図１のコネクタのインシュレータを示す側面図、図３は図２のインシュレータの正面図、図４及び図５は図２及び図３のインシュレータの動作説明に供せられる図である。図６は本発明の実施の形態によるコネクタのコンタクトを示す側面図である。図７乃至図８は本発明の実施の形態によるコネクタの組み立て動作説明に供せられる図である。
【００２０】
図１を参照すると、コネクタ１０１は、インシュレータ３０とケーブル５０に結線されたコンタクト１０とを備えている。
【００２１】
図２乃至図５に最も良く示されるように、インシュレータ３０は、第１のインシュレータ３１と第２のインシュレータ２１とを備えている。第１のインシュレータ３１と第２のインシュレータ２１とは、軸４１を中心に回動可能に形成されている。ここで、図２及び図３においては、第１及び第２のインシュレータ３１，２１は閉じた状態、即ち、ロックされた状態にある。また、図４及び図５においては、開放状態、即ち、ロック前又はロック解除された状態にある。
【００２２】
第１のインシュレータ３１は、自由端の両側にロ字形状のバネ部３３と、その中心に設けられたロック穴３２とを備えている。
【００２３】
第２のインシュレータ２１は、自由端側の両側に、ロック状態において、第１のインシュレータ３１のロック穴３２と嵌合する平坦面２２ａと斜面２２ｂと係合面２２ｃとを備えた断面台形状の突起部２２を備えている。
【００２４】
図７及び図８に最も良く示されるように、第１のインシュレータ３１は、断面３角形状の押さえ部３６を備え、この押さえ部３６の第２のインシュレータ２１と対向する側には、収容部２５に収容されるコンタクト１０を押さえるための押さえ面３７を備え、この押さえ面３７の両端にはそれぞれ押さえ突起３４，３５を備えている。
【００２５】
一方、第２のインシュレータ３１は、コンタクト１０が収容されるコンタクト収容部２５を内部に備えている。コンタクト収容部２５には、後に詳しく説明するように、コンタクト１０の接触部１を収容する接触部収容部２４とコンタクト１０の結線部２と接触する斜面２８が形成されている。また、接触部収容部２４の軸４１側の壁部には、後に説明するコンタクト１０の突出片５を係止するための係止部２７が設けられている。
【００２６】
第１のインシュレータ３１の押さえ突起３４は、コンタクト１０が収容された際に、コンタクト１０の突出片５を第２のインシュレータ２１の係止部３４と協働し挟み込むことで、固定保持する。
【００２７】
図６を参照すると、コンタクト１０は、結線部２と、その結線部２一端で、結線部２の中心軸に対して傾斜した方向に、曲げ部６を介して突出した接触部１と、結線部２の他端に設けられ、ケーブル５０を保持する把持部３と、接触部１と、結線部２との境界部に設けられた突出片５とを備えている。ケーブル５０は、絶縁被覆部５１と導体５２とを備えている。導体部５２は結線部２に圧着され、把持部３をカシメることで、ケーブルがコンタクトに接続され、かつ保持される。なお、図６、図７、図８、及び図１において、把持部３はカシメる前の状態を示しており、カシメた後の状態は実際には、ケーブル５０の被覆部５１とほぼ同じ太さとなる。しかし、図面では、カシメる前の状態を示している。
【００２８】
把持部３を備えた結線部２が接触部１のアングル方向にあることにより、高さＨ´を低くする、即ち、低背化が可能となる。
【００２９】
また、コンタクト１０の圧着部（接続部２，把持部３）を接触部１に対して、交差方向に配置することにより、コネクク１０１を低背化できる。
【００３０】
次に、本発明の実施の形態によるコネクタの組み立てについて説明する。
【００３１】
図７に示すように、ケーブル５０が結線されたコンタクト１０をコンタクト収容部２５に矢印２９に示すように、収容する。その際、結線部２又は把持部３が斜面２８に当接し、また、突出片５は係止部２７に当接する。
【００３２】
次に図８の白抜きの矢印に示すように、第１のインシュレータ３１を閉じる。
【００３３】
更に，図１に示すように、第１のインシュレータ３１を閉じると、ケーブル５０を外側の突起３５が押圧するとともに、結線部２を斜面３７が圧接し、さらに、突出片５を突起３４が、係止部２７と協働して挟み込む。その際に、図２に示すように、バネ片３３の下端はそのバネ性によって、ロック用突起部の斜面２２ｂに沿って広がりながら移動して、平坦面を超えた時点で、突起部２２を超え，突起部２２の係合面２２ｃと、ロック穴３２とが係合して、開放方向を係止してロック状態となり、コネクタ１０１が完成する。
【００３４】
このように、本発明の実施の形態によるコネクタは、コンタクト１０の接触部１と結線部２をアングルに配置し、前記コンタクト１０のアングル部分を第１及び第２のインシュレータ３１，２１の２つのインシュレータで挟み込んだ後、第１及び第２のインシュレータをロックさせることで、コンタクト１０を保持する構造である。
【００３５】
コンタクト１０の結線部２を、接触部１に対して交差方向にする。また、コンタクト１０は２枚のインシュレータのロック部への係止によって挟み込み保持する。
【００３６】
そして、コンタクト１０の接触部１と、結線したケーブル５０とがアングルに曲げられた状態でインシュレータ３０に保持される。
【００３７】
第１及び第２のインシュレータ３１，２１のロックにより一括してコンタクト１０を保持する構造の為、一本ずつコンタクト１０をインシュレータに保持する必要がなくなり、保持する為の部品が不要となる。また、ハーネス作業性が向上する。
【００３８】
このように、本発明においては、第２のインシュレータ２１にコンタクト１０を組み込んだ後、第１のインシュレータ３１を被せてロックさせるだけでコンタクト１０の装着が完了する為、作業性がよい。
【００３９】
また、第１及び第２のインシュレータ３１，２１でコンタクト１０を挟み込む方向対し、ケーブル５０はアングル方向に引き出される為、ケーブル５０を引張っても、コンタクト１０が抜けにくく、保持力が強化される。
【００４０】
また、コンタクト１０の接触部１と把持部３が設けられた結線部２があらかじめアングルに配置されている為、ケーブル（電線）５０を曲げることなく、アングルコネククタのハーネスが可能となり、作業性が向上する。また、ハーネスにおいて、ケーブル５０を曲げる必要がない為、圧着部及びコンタクト１０にケーブル５０を曲げることによる負荷が掛からない。
【産業上の利用可能性】
【００４１】
以上説明したとおり、本発明のコンタクト及びそれを用いたコネクタは、ケーブルに結線されたコンタクトを保持するコネクタに適用できる。
【図面の簡単な説明】
【００４２】
【図１】本発明の実施の形態によるコネクタの断面図である。
【図２】図１のコネクタのインシュレータを示す側面図である。
【図３】図２のインシュレータの正面図である。
【図４】図２及び図３のインシュレータの動作説明に供せられる図である。
【図５】図２及び図３のインシュレータの動作説明に供せられる図である。
【図６】本発明の実施の形態によるコネクタのコンタクトを示す側面図である。
【図７】本発明の実施の形態によるコネクタの組み立て動作説明に供せられる図である。
【図８】本発明の実施の形態によるコネクタの組み立て動作説明に供せられる図である。
【図９】従来のコネクタの一例を示す斜視図である。
【図１０】図９のコネクタの断面図である。
【図１１】従来のコネクタのコンタクトの一例を示す図である。
【符号の説明】
【００４３】
１    接触部
２    結線部
３    把持部
５    突出片
１０    コンタクト
２１    第２のインシュレータ
２２    突起部
２２ａ    平坦面
２２ｂ    斜面
２２ｃ    係合面
２４    接触部収容部
２５    コンタクト収容部
２７    係止部
２８    斜面
３０    インシュレータ
３１    第１のインシュレータ
３２    ロック穴
３３    バネ部
３４，３５    突起
３６    押さえ部
３７    押さえ面（圧着部）
４１    軸
５０    ケーブル
５１    絶縁被覆部
５２    導体部
６０    コンタクト
６１    接触部
６２    結線部
６３    把持部
６５    係止部
７３    ハウジング本体
７３ａ    先端部
７４    ケーブル押え部材
７４ａ    下面端部
７５    ケーブル支持部材
７５ａ    上面端部
７７    ヒンジ
１０１，１０２    コネクタ
【図１】
2005317319.tif 000003
【図２】
2005317319.tif 000004
【図３】
2005317319.tif 000005
【図４】
2005317319.tif 000006
【図５】
2005317319.tif 000007
【図６】
2005317319.tif 000008
【図７】
2005317319.tif 000009
【図８】
2005317319.tif 000010
【図９】
2005317319.tif 000011
【図１０】
2005317319.tif 000012
【図１１】
2005317319.tif 000013